(57)【要約】【課題】風が吹いても固定ネジ部材が緩み難く、防水シートのより確実な固定状態を維持できながら、防水シートの耐久性の低下防止を図れるようにする。【解決手段】防水下地１の上に沿って設けられる防水シート２を、防水下地１に固定する防水シート固定具であって、防水下地１に固定自在な第１部材４と、防水シート２に固定自在な第２部材５と、第１部材４と第２部材５とを相対移動自在に連結する連結機構Ｊと、第１部材４と第２部材５との相対位置を初期連結状態に付勢する復帰機構Ｒとを備えている。【選択図】図３
2015200112.tif 000002
【特許請求の範囲】
【請求項１】
防水下地の上に沿って設けられる防水シートを、前記防水下地に固定する防水シート固定具であって、
前記防水下地に固定自在な第１部材と、
前記防水シートに固定自在な第２部材と、
前記第１部材と前記第２部材とを相対移動自在に連結する連結機構と、
前記第１部材と前記第２部材との相対位置を初期連結状態に付勢する復帰機構とを備えている防水シート固定具。
【請求項２】
前記連結機構は、前記防水下地表面に沿う方向における前記第１部材と前記第２部材との相対移動を許容自在に構成してあり、
前記復帰機構は、前記防水下地表面に沿う方向における前記第１部材と前記第２部材との相対位置を、前記初期連結状態に復帰自在に構成してある請求項１に記載の防水シート固定具。
【請求項３】
前記連結機構は、前記防水下地表面の垂線周りにおける前記第１部材と前記第２部材との相対回転を許容自在に構成してあり、
前記復帰機構は、前記防水下地表面の垂線周りにおける相対回転位置を、前記初期連結状態に復帰自在に構成してある請求項１又は２に記載の防水シート固定具。
【請求項４】
前記連結機構は、前記防水下地表面の垂線に沿う方向における前記第１部材と前記第２部材との相対移動を許容自在に構成してあり、
前記復帰機構は、前記防水下地表面の垂線に沿う方向における前記第１部材と前記第２部材との相対位置を、前記初期連結状態に復帰自在に構成してある請求項１〜３の何れか一項に記載の防水シート固定具。
【請求項５】
前記連結機構と前記復帰機構とは、同一のバネ部材で構成してある請求項１〜４の何れか一項に記載の防水シート固定具。
【請求項６】
前記バネ部材は、平面視において重複していない状態にある前記第１部材と前記第２部材とにわたって設けてある請求項５に記載の防水シート固定具。
【請求項７】
前記第１部材と前記第２部材と前記連結機構と前記復帰機構とは、一体に形成してある請求項１〜６の何れか一項に記載の防水シート固定具。
【発明の詳細な説明】
【技術分野】
【０００１】
防水下地への防水シートの固定方法としては、防水シートを全面接着する方法に限るものではなく、他の方法の一つとしては、間隔をあけた複数箇所に固定部を分散させることで、防水下地の伸縮等による悪影響が防水シートに及ぶのを緩和できるようにした方法〔所謂「絶縁工法」（機械的固定方法）〕があり、本発明は、この「絶縁工法」に使用できる防水シート固定具に関するものであり、更に詳しくは、防水下地の上に沿って設けられる防水シートを、前記防水下地に固定する防水シート固定具に関する。
【背景技術】
【０００２】
従来、この種の防水シート固定具Ｌとしては、図１８に示すように、金属薄板素材をプレス成形によって立体的な円板形状に成形して構成してあるものがあった（例えば、特許文献１参照）。
【０００３】
この防水シート固定具Ｌは、円板の中央部分２０と外周部分２２とが防水下地１側に位置し、それらの間に位置する平面部分２１は防水下地１から離間する方向に膨出した形状に構成してあり、中央部分２０には、固定ネジ部材３を挿通するネジ挿通孔２０ａが設けられ、平面部分２１は、防水シート２に対する接着面２１ａとして構成され、外周部分２２は、防水下地１に対する接地部２２ａとして構成されている。
【０００４】
防水シート固定具Ｌの防水下地１への取り付けは、次の要領で行うものである。防水下地１上の所定位置に防水シート固定具Ｌを載置して、接地部２２ａが防水下地１の上面に当接した状態し、引き続き、ネジ挿通孔２０ａに固定ネジ部材３を挿通して、防水下地１に対してねじ込む。この結果、接地部２２ａと中央部分２０とが防水下地１側に押し付けられた状態で固定される。
その後、防水シート２を防水シート固定具Ｌの上に被せて、接着面２１ａにおいて防水シート２を防水シート固定具Ｌに接着することで、防水シート２を防水下地１に固定することができるものである。
【先行技術文献】
【特許文献】
【０００５】
【特許文献１】特開２００６−１８３３９４号公報（図１、図２、図５）
【発明の概要】
【発明が解決しようとする課題】
【０００６】
上述した従来の防水シート固定具によれば、防水シートの局部を接着して防水下地に固定するものであるから、接着されていない部分に関しては防水下地上で上下に多少の移動が許容されている。
また、防水シートの上面側は、外環境に曝されているから、防水シートの上面近傍部分に沿って風が吹くこともあり、それに伴って、防水シートの上面側に発生する負圧領域の影響で、防水シートに揚力が作用することがある。
【０００７】
このように、防水シートに対して揚力が作用すると、防水シートは、接着されてない部分が上下方向や横方向に移動するバタつき（フラッタリング）を生じ、その動きは、あたかも水面の波のごとく、風上から風下に向かって移動していく。その際、防水シートから防水シート固定具に伝わる力によって、固定ネジ部材には、振動や回転力等が繰り返して作用する虞がある。
【０００８】
その結果、防水シート固定具を固定している固定ネジ部材は、上述の振動や回転力の作用によって緩むことがあり、確実な固定状態を維持できなく可能性がある。
【０００９】
この問題点を解消するには、例えば、防水シート固定具のネジ層通孔を、固定ネジ部材の軸部外径より大きめに設定したルーズホールとして形成し、防水シート固定具を、ルーズホールの遊び寸法の範囲内で、固定ネジ部材に対して径方向に移動できたり、固定ネジ部材周りに回転できるように支持しすることが考えられる。
これによって、防水シートから防水シート固定具に伝わる前記振動や回転力が、固定ネジ部材に伝わり難くなる。
しかし、その反面、防水下地に対して防水シート固定具が相対移動できるようになると、防水下地上の多数の防水シート固定具設置箇所の内の複数箇所において、風の影響によって防水シート固定具が変位したままになる事態が生じる。それに伴って、防水シート固定具によって支持されている防水シートは、ある部分では、強く引っ張られた状態になり、別の部分では、弛んだ状態になり、防水シートそのものに対する応力集中や、シワが生じたままになる虞がある。
その結果、防水シートが損傷・劣化し易くなり、耐久性が低下する問題点がある。
【００１０】
従って、本発明の目的は、上記問題点を解消し、風が吹いても固定ネジ部材が緩み難く、より確実な固定状態を維持できながら、防水シートの耐久性の低下防止を図れる防水シート固定具を提供するところにある。
【課題を解決するための手段】
【００１１】
本発明の特徴は、防水下地の上に沿って設けられる防水シートを、前記防水下地に固定する防水シート固定具であって、前記防水下地に固定自在な第１部材と、前記防水シートに固定自在な第２部材と、前記第１部材と前記第２部材とを相対移動自在に連結する連結機構と、前記第１部材と前記第２部材との相対位置を初期連結状態に付勢する復帰機構とを備えているところにある。
【００１２】
本発明によれば、連結機構によって第１部材と第２部材とは相対移動自在に連結されているから、第１部材を防水下地に固定すると共に、第２部材に防水シートを固定した状態において、防水下地に対して防水シートを移動自在に支持することができる。
従って、風圧等の影響で防水シートから防水シート固定具に伝わる前記振動や回転力を、第１部材と第２部材との相対移動によって緩衝することができ、第１部材を防水下地に固定している例えば固定ネジ部材が緩むのを防止できるようになる。
また、復帰機構を備えているから、防水下地に固定した第１部材に対して、第２部材が移動しても、両者の初期連結状態に戻すように付勢力を作用させることができる。従って、第２部材に固定されている防水シートも、防水下地上に設置した初期設置状態戻すことができ、防水シート全体として局部に圧縮力や引張力が残ったままになったり、シワがよったままになることを防止できるようになる。
その結果、風が吹いても、防水シートを防水下地に確実な固定状態を維持した状態に固定でき、且つ、防水シートの耐久性の低下を防止できるようになる。
【００１３】
本発明においては、前記連結機構は、前記防水下地表面に沿う方向における前記第１部材と前記第２部材との相対移動を許容自在に構成してあり、前記復帰機構は、前記防水下地表面に沿う方向における前記第１部材と前記第２部材との相対位置を、前記初期連結状態に復帰自在に構成してあると好適である。
【００１４】
本構成によれば、第１部材と第２部材とは、連結機構によって防水下地表面に沿う方向の相対移動が許容自在に連結されているから、第１部材を防水下地に固定すると共に、第２部材に防水シートを固定した状態において、その防水シートを防水下地の表面に沿う方向に移動自在に支持することができる。
従って、風圧等の影響で防水シートが防水下地の表面に沿って移動しても、それに伴う振動等を連結機構によって緩衝することができ、第１部材を防水下地に固定している例えば固定ネジ部材が緩むのを防止できるようになる。
また、復帰機構を備えているから、防水下地に固定した第１部材に対して、第２部材が防水下地表面に沿う方向に移動しても、両者の初期連結状態に戻すように付勢力を作用させることができる。従って、第２部材に固定されている防水シートも、防水下地上に設置した初期設置状態戻すことができ、防水シート全体として局部に圧縮力や引張力が残ったままになったり、シワがよったままになることを防止できるようになる。
その結果、風が吹いても、防水シートを防水下地に確実な固定状態を維持した状態に固定でき、且つ、防水シートの耐久性の低下を防止できるようになる。
【００１５】
本発明においては、前記連結機構は、前記防水下地表面の垂線周りにおける前記第１部材と前記第２部材との相対回転を許容自在に構成してあり、前記復帰機構は、前記防水下地表面の垂線周りにおける相対回転位置を、前記初期連結状態に復帰自在に構成してあると好適である。
【００１６】
本構成によれば、第１部材と第２部材とは、連結機構によって、防水下地表面の垂線周りに相対回転自在に連結されているから、防水下地に固定された第１部材に対して、第２部材は、前記軸芯周りに自由に回転することができる。
従って、風圧等の影響で、接着した防水シートから第２部材に対して回転力が作用しても、その回転力は、連結機構によって緩衝することができ、第１部材にそのまま伝わることがなく、防水下地へ第１部材を固定する例えば固定ネジ部材等が緩むことを防止できる。
また、復帰機構を備えているから、防水下地に固定した第１部材に対して、第２部材が防水下地表面の垂線周りに回転しても、両者の初期連結状態に戻すように付勢力を作用させることができる。従って、第２部材に固定されている防水シートも、防水下地上に設置した初期設置状態戻すことができ、防水シート全体として局部に圧縮力や引張力が残ったままになったり、防水シートの被固定部の周囲にシワがよったままになることを防止できるようになる。
その結果、風が吹いても、防水シートを防水下地に確実な固定状態を維持した状態に固定でき、且つ、防水シートの耐久性の低下を防止できるようになる。
【００１７】
本発明においては、前記連結機構は、前記防水下地表面の垂線に沿う方向における前記第１部材と前記第２部材との相対移動を許容自在に構成してあり、前記復帰機構は、前記防水下地表面の垂線に沿う方向における前記第１部材と前記第２部材との相対位置を、前記初期連結状態に復帰自在に構成してあると好適である。
【００１８】
本構成によれば、第１部材と第２部材とは、連結機構によって、防水下地表面の垂線に沿う方向に相対移動自在に連結されているから、防水下地に固定された第１部材に対して、第２部材は、前記垂線に沿う方向に自由に移動することができる。
従って、風圧等の影響で、防水下地表面の垂線に沿う揚力が防水シート、及び、その防水シートに固定されている第２部材に作用しても、その揚力は、連結機構によって緩衝されるから、第１部材にそのまま伝わることがなく、防水下地へ第１部材を固定する例えば固定ネジ部材等が緩むのを防止できる。
また、復帰機構を備えているから、防水下地に固定した第１部材に対して、第２部材が防水下地表面の垂線に沿う方向に移動しても、両者の初期連結状態に戻すように付勢力を作用させることができる。従って、第２部材に固定されている防水シートも、防水下地上に設置した初期設置状態戻すことができ、防水シート全体として局部に圧縮力や引張力が残ったままになったり、防水シートの被固定部やその周囲が盛り上がったままになったり、シワがよったままになることを防止できるようになる。
その結果、風が吹いても、防水シートを防水下地に確実な固定状態を維持した状態に固定でき、且つ、防水シートの耐久性の低下を防止できるようになる。
【００１９】
本発明においては、前記連結機構と前記復帰機構とは、同一のバネ部材で構成してあると好適である。
【００２０】
本構成によれば、バネ部材の弾性変形能を有効に利用して、第１部材と第２部材との連結、及び、両部材の初期連結状態への復帰を叶えることができる。
従って、部材の兼用化によって、防水シート固定具としての構造の簡単化、及び、部品点数の減少化とコストダウンを実現することができる。
【００２１】
本発明においては、前記バネ部材は、平面視において重複していない状態にある前記第１部材と前記第２部材とにわたって設けてあると好適である。
【００２２】
本構成によれば、第１部材と第２部材とが平面視において重複していない状態に配置されているので、固定具の製造時にバネ部分を両者にわたる状態に組み付けやすい。
【００２３】
本発明においては、前記第１部材と前記第２部材と前記連結機構と前記復帰機構とは、一体に形成してあると好適である。
【００２４】
本構成によれば、第１部材と第２部材と連結機構と復帰機構とが一体に形成されているから、防水シート固定具としての部品点数の単一化を図れ、複数の部材を組み付けて使用するものに比べて防水下地への取付時の取扱性の向上を図ることができる。
また、例えば、一体成形等によって形成することも可能となり、製造コストの低減化を図ることができる。
【図面の簡単な説明】
【００２５】
【図１】第１実施形態の防水シート固定具の設置状況を示す一部切欠斜視図
【図２】第１実施形態の防水シート固定具を示す斜視図
【図３】第１実施形態の防水シート固定具の設置状況を示す断面図
【図４】第１実施形態の防水シート固定具の作用状況を示す断面図
【図５】第１実施形態の防水シート固定具の作用状況を示す平面図
【図６】第１実施形態の防水シート固定具の作用状況を示す平面図
【図７】第２実施形態の防水シート固定具を示す分解斜視図
【図８】第２実施形態の防水シート固定具の設置状況を示す断面図
【図９】第３実施形態の防水シート固定具を示す分解斜視図
【図１０】第３実施形態の防水シート固定具の設置状況を示す断面図
【図１１】第４実施形態の防水シート固定具を示す分解斜視図
【図１２】第４実施形態の防水シート固定具の設置状況を示す断面図
【図１３】第４実施形態の板バネ部の別実施形態を示す斜視図
【図１４】第５実施形態の防水シート固定具を示す分解斜視図
【図１５】第５実施形態の防水シート固定具の設置状況を示す断面図
【図１６】第６実施形態の防水シート固定具を示す分解斜視図
【図１７】第６実施形態の防水シート固定具の設置状況を示す断面図
【図１８】従来例の防水シート固定具の設置状況を示す断面図
【発明を実施するための形態】
【００２６】
以下に本発明の実施の形態を図面に基づいて説明する。尚、図面において従来例と同一の符号で表示した部分は、同一又は相当の部分を示している。
【００２７】
〔第１実施形態〕
図１は、本発明の防水シート固定具Ｋの第１の実施形態品（以後、単にシート固定具という）Ｋ１を使用して、屋根下地（防水下地の一例）１の上に沿って設けられた防水シート２を固定している状況を示している。
【００２８】
防水シート２は、例えば、塩化ビニル系等の合成樹脂製シートで構成されている。
【００２９】
シート固定具Ｋ１は、金属製又は硬質の合成樹脂製で、外形形状が円板状に形成してあり、屋根下地１の上に、横間隔をあけて点在させてある。各シート固定具Ｋ１は、それぞれ固定ネジ部材３で屋根下地１に固定されている。
また、シート固定具Ｋ１の上面には、防水シート２の下面が接着してある。
【００３０】
シート固定具Ｋ１は、図２、図３に示すように、屋根下地１に固定自在な第１部材４を設け、防水シート２に固定自在な第２部材５を、平面視において第１部材４と重複しない状態で第１部材４の外周側に設け、第１部材４の外周部と第２部材の内周部とにわたる状態の複数の板バネ部６（バネ部材の一例）を設けて構成してある。
当該実施形態のシート固定具Ｋ１は、第１部材４と第２部材５と板バネ部６とが一体となった一体成形品で構成されている。但し、各部を溶接や溶着等によって接合して構成することもできる。
【００３１】
第１部材４は、平面視が円形形状で、中央部が下方に膨出した「すり鉢」形状に形成してあり、その中央底部分に、固定ネジ部材３を挿通自在なネジ挿通孔７が形成してある。このネジ挿通孔７に固定ネジ部材３を挿通して屋根下地１に螺進させることで、固定ネジ部材３の拡径頭部３ａと、屋根下地１との間に第１部材４が挟持された状態となり、シート固定具Ｋ１を屋根下地１に固定することができる。
【００３２】
因みに、屋根下地１は、当該実施形態においては、コンクリートスラブを例に挙げて説明しているが、例えば、ＡＬＣパネルやコンクリートパネル等のプレキャストパネルであったり、折板屋根等で構成することも可能である。そして、屋根下地１において固定ネジ部材３の取付箇所は、例えば、雌ねじアンカー等を設けておくことが好ましい。
【００３３】
第２部材５は、平面視において円環状に形成してあり、その内径寸法は、第１部材４の外径よりも大きく設定してあり、第１部材４と同心円となるように配置されている。
第２部材５は、上面部８が平坦面として構成してあり、この部分には、ホットメルト接着層８ａが設けてあり、このホットメルト接着層８ａによって防水シート２を、接着固定することができる。因みに、ホットメルト接着層８ａは、例えば、ポリエステル系、エチレン酢酸ビニル系、合成ゴム系、オレフィン系等の材質のものを採用することができ、融点は７０〜１６０℃のものが広く普及している。
また、第２部材５の内周縁部９、及び、外周縁部１０は、それぞれ下方に折れ曲がった形状に成形してあり、平板の場合に比べて剛性を向上させてある。
外周縁部１０は、当該シート固定具Ｋ１を屋根下地１上に設置した状態で、屋根下地１上に接触するように折れ曲がり寸法の設定がされている。
【００３４】
板バネ部６は、平面視において、ネジ挿通孔７から延びる六つの放射線上に位置する状態に設けられている。即ち、ネジ挿通孔７周りに、中心角６０度の間隔で配置されている。
また、板バネ部６のそれぞれは、帯板をジグザグ状に屈曲させた形状に構成してあり、帯板の厚み方向が上下方向に沿う状態に配置されていると共に、端部が、第１部材４の外周縁部４ａと、第２部材５の内周縁部９とにそれぞれ一体に繋がっている。
板バネ部６は、長手方向、及び、帯幅方向、及び、帯厚み方向に沿ってそれぞれ弾性変形できるように構成されている。
従って、板バネ部６のこのような弾性変形を活用できることで、第１部材４と第２部材５とは、相対移動が許容される（図４〜６参照）。
具体的には、第１部材４と第２部材５とは、図５に示すように、屋根下地１表面に沿う方向（防水下地表面に沿う方向に相当）、及び、図６に示すように、ネジ挿通孔７の軸芯Ｘ（防水下地表面の垂線の一例）周りの方向、及び、図４に示すように、ネジ挿通孔７の軸芯Ｘに沿う方向（防水下地表面の垂線に沿う方向に相当）に相対移動が許容された状態に、板バネ部６を介して一体化されている。更には、板バネ部６の弾性復元力によって、第１部材４と第２部材５との相対位置は、初期連結状態に復帰される。
即ち、当該実施形態においては、板バネ部６は、第１部材４と第２部材５とを相対移動自在に連結する連結機構Ｊを構成していると共に、第１部材４と第２部材５との相対位置を初期連結状態に付勢する復帰機構Ｒをも構成している。
【００３５】
屋根下地１への防水シート２の固定については、次の手順によって実施することができる。
［１］屋根下地１の上の所定箇所に、シート固定具Ｋ１をそれぞれ固定する。
シート固定具Ｋ１の固定は、ネジ挿通孔７に挿通した固定ネジ部材３を、屋根下地１にねじ込むことで行う。
［２］各シート固定具Ｋ１の上から防水シート２を被せ、防水シート２の上方から、電磁誘導加熱装置等によってシート固定具Ｋ１を加熱することでホットメルト接着層８ａを溶かして接着固定する。
【００３６】
以上のような防水シート固定状態においては、板バネ部６が連結機構Ｊと復帰機構Ｒとの機能を果たすことができるから、屋根下地１に固定された第１部材４に対して、第２部材５とそれに接着された防水シート２とを、移動自在に連結すると共に、その移動を元の位置に戻すことが可能となる。
その移動に関しては、屋根下地１表面に沿う方向、ネジ挿通孔７の軸芯Ｘ周りの方向、ネジ挿通孔７の軸芯Ｘに沿う方向にそれぞれ移動が許容される。
【００３７】
従って、当該実施形態のシート固定具Ｋ１によれば、例えば、風の揚力で防水シート２が持ち上げられて波立つような場合でも、防水シート２から防水シート固定具Ｋ１に伝わる振動や横移動力や回転力や揚力等を、第１部材４と第２部材５との相対移動によって緩衝することができ、防水シート２を無理なく屋根下地１に支持できながら、固定ネジ部材３が緩むのを防止できるようになる。
また、屋根下地１に固定した第１部材４に対して、第２部材５が移動しても、両者の初期連結状態に戻すように復帰機構Ｒが作用し、第２部材５に固定されている防水シートも、屋根下地１上に設置した初期設置状態に戻すことができ、防水シート２全体として局部に圧縮力や引張力が残ったままになったり、シワがよったままになることを防止できるようになる。
その結果、風が吹いても、防水シート２を屋根下地１に確実な固定状態を維持した状態に固定でき、且つ、防水シート２の耐久性の低下を防止できるようになる。
また、シート固定具Ｋ１としての構造が簡単で、部品点数も少ないから、取扱性や経済性が良好で、且つ、第１部材４と第２部材５とが相対移動時に干渉し難いから、板バネ部６の特性を十分発揮させて上述の作用（連結機能や復帰機能）を叶える事ができる。
【００３８】
〔第２実施形態〕
図８は、本発明の防水シート固定具Ｋの第２の実施形態品（以後、単にシート固定具という）Ｋ２を使用して、屋根下地（防水下地の一例）１の上に沿って設けられた防水シート２を固定している状況を示している。
尚、当該実施形態の説明は、先の実施形態と異なる構成を主に行うもので、重複する構成の説明は省略する。
【００３９】
第２部材５は、図７、図８に示すように、第１部材４と板バネ部６との一体部材とは別部材で構成してあり、嵌合によって一体化が図られている。
第２部材５の外周縁部１０の末端部は、折返し形状に形成して環中央側に開口した周溝１０ａが設けられている。
また、第２部材５は、第１部材４と板バネ部６との一体部材と一体化を図った状態では、上面部８が板バネ部６の上を覆う状態に配置されている。
【００４０】
第１部材４は、先の実施形態のもに比べて大径に形成してあり、その外周縁部４ａに、各板バネ部６が一体に設けられている。
【００４１】
板バネ部６の先端部は、第２部材５の周溝１０ａにそれぞれ内嵌連結させてあり、この連結によって、第１部材４と板バネ部６との一体部材と、第２部材５との一体化が図られている。
当該実施形態のシート固定具Ｋ２においては、周溝１０ａ内に板バネ部６の端部を内嵌させた状態でカシメをおこなって両者を固着してある。
【００４２】
当該シート固定具Ｋ２は、板バネ部６の弾性変形によって、第１部材４と第２部材５との相対移動（屋根下地１表面に沿う方向、ネジ挿通孔７の軸芯Ｘ周りの方向、ネジ挿通孔７の軸芯Ｘに沿う方向での相対移動）が許容されていると共に、両部材の初期連結状態への復帰をも叶えることができる。
当該実施形態においても、連結機構Ｊと復帰機構Ｒとは、共通の板バネ部６によって構成されている。
【００４３】
尚、板バネ部６は、周溝１０ａに内嵌した状態で周溝１０ａに沿って移動できるように設けることも可能で、この場合は、第１部材４と第２部材５との前記軸芯Ｘ周りの相対回転がよりスムースになる。但し、この場合は、回転復帰機能は発現されない。
【００４４】
〔第３実施形態〕
図１０は、本発明の防水シート固定具Ｋの第３の実施形態品（以後、単にシート固定具という）Ｋ３の設置状況を示している。
尚、当該実施形態の説明は、先の実施形態と異なる構成を主に行うもので、重複する構成の説明は省略する。
【００４５】
第１部材４は、図９、図１０に示すように、第２部材５と板バネ部６との一体部材とは別部材で構成してあり、中央部のすり鉢形状部４ｂの外周部に、第２部材５と板バネ部６との一体部材を前記軸芯Ｘ周り相対回転自在に外嵌させて屋根下地１に固定されている。
また、第１部材４の上面部４ｃは、板バネ部６の上を覆う状態に配置されている。
【００４６】
第２部材５と板バネ部６とは、第１実施形態で説明したものとほぼ同様の外形円形形状に構成してあり、板バネ部６より円中央側に内リング部１１が一体に設けてある。
内リング部１１は、第１部材４のすり鉢形状部４ｂに外嵌する同様のすり鉢形状に形成してあり、第１部材４が屋根下地１に固着された状態でも、外嵌する内リング部１１及び板バネ部６及び第２部材５の一体部材を軸芯Ｘ周りに回転できるように構成されている。
【００４７】
また、第２部材５の外周縁部１０は、屋根下地１への設置状態で、屋根下地１の表面より上方に離間するように寸法設定してあり、板バネ部６や第２部材５が、弾性変形して、第１部材４に対して外周縁部１０が上下方向に移動できるように構成してある。
また、第１部材４に対して第２部材５が屋根下地１表面に沿う方向に移動できる。
このように、第１部材４と第２部材５とは、屋根下地１表面に沿う方向、ネジ挿通孔７の軸芯Ｘ周りの方向、ネジ挿通孔７の軸芯Ｘに沿う方向での相対移動が可能である。
また、両部材の初期連結状態への復帰に関しては、ネジ挿通孔７の軸芯Ｘ周りの方向の復帰を除いては、先の実施形態と共通する。
当該実施形態においては、連結機構Ｊは、板バネ部６、及び、すり鉢形状部４ｂと内リング部１１とで構成され、復帰機構Ｒは、板バネ部６によって構成されている。
【００４８】
〔第４実施形態〕
図１２は、本発明の防水シート固定具Ｋの第４の実施形態品（以後、単にシート固定具という）Ｋ４の設置状況を示している。
尚、当該実施形態の説明は、先の実施形態と異なる構成を主に行うもので、重複する構成の説明は省略する。
【００４９】
第１部材４は、図１１、図１２に示すように、円板部材１２と、その下方に位置する下リング部材１３との２部材によって構成してある。
円板部材１２は、平面視が円形形状で、中央部が下方に膨出したすり鉢形状部４ｂとして形成してあり、その中央底部分に、固定ネジ部材３を挿通自在なネジ挿通孔７が形成してある。
また、円板部材１２の上面部４ｃの下面に当接する状態に、下リング部材１３が配置されている。
【００５０】
下リング部材１３は、その本体が筒状部１３ａで構成してあり、筒状部１３ａの上端部に、径方向内側に突出した内鍔部１３ｂが形成してあり、筒状部１３ａの下端部に、径方向外側に突出した外鍔部１３ｃが形成してある。
円板部材１２を屋根下地１に固定した状態において、内鍔部１３ｂは、円板部材の１２の上面部４ｃの下面に当接し、且つ、外鍔部１３ｃは、屋根下地１の表面に当接する。
このような取付状態においては、円板部材１２の上面部４ｃと下リング部材１３の外鍔部１３ｃとの間に、径方向外側に開口した周溝１４が構成される。
【００５１】
第２部材５は、平面視において円環状に形成してあり、円環形状の内周縁部９及び外周縁部１０は、平坦面で構成された上面部８より低く形成してある。
また、第２部材５の内径は、第１部材４の外形寸法より小さく設定してあり、内周縁部９が、円板部材１２と下リング部材１３との間の周溝１４内に位置するように形成してある。
【００５２】
板バネ部６は、スプリングワッシャ形状に形成してあり、円周上で両端部が上下に離間している。そして、本実施形態においては、上端部は、第２部材５の内周縁部９に固着してあり、下端部は、第１部材４の下リング部材１３に固着してある。
この構造によって、第１部材４と第２部材５とは、板バネ部６を介して、屋根下地１表面に沿う方向、ネジ挿通孔７の軸芯Ｘ周りの方向、ネジ挿通孔７の軸芯Ｘに沿う方向での相対移動が可能な状態に連結されている。
また、両部材の初期連結状態への復帰に関しても、板バネ部６によって実施可能に形成されている。
当該実施形態においては、連結機構Ｊと復帰機構Ｒとは、共通の板バネ部６によって構成されている。
【００５３】
尚、板バネ部６に関しては、上述のものに替えて、図１３に示すようなものを採用することも可能である。
この板バネ部６は、リング状平板部６ａと、波板状に起伏のあるリング状波板部６ｂとを備えて構成してある。従って、波板部６ｂは、周方向に複数の頂部と底部とを交互に備えている。
平板部６ａの上面に、波板部６ｂの複数の底部の内、一部の底部（好ましくは、一箇所の底部）を固定して形成してある。
この板バネ部６を使用する場合は、平板部６ａは、外鍔部１３ｃの上に固着（点着でも全面固着でも可）すると共に、波板部６ｂは、複数の頂部の内、一部の頂部（好ましくは、一箇所）を第２部材５に固着する設置形態を採用することが、波板部６ｂの弾性変形機能を阻害せずに最大限に利用することが可能となり好適である。
この板バネ部６を使用すれば、第１部材４と第２部材５とは、板バネ部６を介して、屋根下地１表面に沿う方向、ネジ挿通孔７の軸芯Ｘに沿う方向での相対移動が可能な状態に支持される。また、復帰機能に関しても、相対移動と同様の方向に対して期待できる。
【００５４】
〔第５実施形態〕
図１５は、本発明の防水シート固定具Ｋの第５の実施形態品（以後、単にシート固定具という）Ｋ５の設置状況を示している。
尚、当該実施形態の説明は、先の実施形態と異なる構成を主に行うもので、重複する構成の説明は省略する。
【００５５】
基本構成は、第４実施形態と類似している。
板バネ部６は、図１４、図１５に示すように、径方向にジグザグ状となるように帯板を屈曲形成した環状のものを使用している。
板バネ部６は、幅寸法（高さ寸法）を周溝１４の溝幅寸法より小さく設定してあり、周溝１４内で上下に弾性変形するのための余裕をもたせてある。
また、板バネ部６は、径方向で対向する２箇所で、第１部材４と第２部材５とに固着してある。
第１部材４への固着は、板バネ部６の内周部の一箇所で実施してあり、第２部材５への固着は、板バネ部６の外周部の一箇所で実施してある。
従って、これら両固着箇所間の板バネ部６の弾性変形によって、第１部材４と第２部材５との、屋根下地１表面に沿う方向、ネジ挿通孔７の軸芯Ｘ周りの方向、ネジ挿通孔７の軸芯Ｘに沿う方向での相対移動が可能となる。
また、両部材の初期連結状態への復帰に関しても、板バネ部６によって実施可能となる。
当該実施形態においては、連結機構Ｊと復帰機構Ｒは、板バネ部６によって構成されている。
【００５６】
尚、板バネ部６を、第１部材４と第２部材５との一方、又は、両方に固着しない状態に設置することも可能で、この場合は、第１部材４と第２部材５との、相対移動に関しては、各方向に同様に期待することができるが、初期連結状態への復帰に関しては、屋根下地１表面に沿う方向のみが可能となる。
【００５７】
〔第６実施形態〕
図１７は、本発明の防水シート固定具Ｋの第６の実施形態品（以後、単にシート固定具という）Ｋ６の設置状況を示している。
尚、当該実施形態の説明は、先の実施形態と異なる構成を主に行うもので、重複する構成の説明は省略する。
【００５８】
当該実施形態の防水シート固定具Ｋ６は、屋根下地１の表層に断熱パネル１ａが敷設してある場合の一つの実施例を示している。
【００５９】
第１部材４は、図１６、図１７に示すように、断熱パネル１ａの表面に当接状態に設置される円板形状のベース部材１５と、ベース部材１５と嵌合した状態で第２部材５を屋根下地１に支持させる支持筒部材１６とを備えて構成してある。
【００６０】
ベース部材１５は、本体が金属製円板で構成してあり、中央部分に、支持筒部材１６を挿通自在な挿通孔１５ａが設けてある。
挿通孔１５ａの周部には、支持筒部材１６を所定の高さに支持する筒状の支持壁部１５ｂがベース部材１５と一体に設けられている。
また、支持壁部１５ｂと同心円で大径の位置に沿って、板バネ部６の端部を固着したバネ支持部１５ｃがベース部材１５に一体に設けられている。
バネ支持部１５ｃに一端を固着された板バネ部６の他端は、ベース部材１５の外周付近まで延びている。
また、支持壁部１５ｂとバネ支持部１５ｃとの間の空間Ｖには、ベアリングとなる複数の球体１７が配置してある。
【００６１】
支持筒部材１６は、合成樹脂製の部材で構成することで、シート固定具Ｋの設置箇所における屋根面と屋根下地１側とのヒートパスの抑制を図り、断熱パネル１ａの断熱効果と合わせて建物内の空調効率の低下防止を図っている。
支持筒部材１６は、ベース部材１５の挿通孔１５ａに内嵌自在な外形寸法に形成された筒本体１６を備えて構成してある。
筒本体１６の内径寸法は、固定ネジ部材３の拡径頭部３ａが挿通自在な寸法に設定されている。
【００６２】
また、筒本体１６の下端部は、先細り形状に形成してあり、固定ネジ部材３の軸部３ｂを挿通自在なネジ挿通孔７が構成されている。
筒本体１６の上端部には、大径の鍔状部１６ａが一体に形成してある。鍔状部１６ａは、バネ支持部１５ｃの直上に達する寸法に形成してあり、バネ支持部１５ｃとの間に、隙間Ｓが形成されることで、第２部材５の内周縁部９をその隙間に収容できるように構成されている。
【００６３】
第２部材５は、基本構成が第５実施形態のものと類似している。
内周縁部９には、ベアリングの球体１７を保持する保持孔９ａが、周方向に間隔を明けた複数箇所に設けてある。外周縁部１０には、板バネ部６の外径側の端部が係合連結によって一体化が図られている。
【００６４】
前記球体１７は、第２部材５の内周縁部９を、支持筒部材１６の鍔状部１６ａと、ベース部材１５との間に位置させた状態では、保持孔９ａとベース部材１５との間に保持され、ネジ挿通孔７の軸芯Ｘ周りにおける第１部材４と第２部材５との相対回転の円滑化を図っている。
【００６５】
また、第２部材５の内径寸法は、ベース部材１５の支持壁部１５の外径寸法より余裕を持って大きく設定してあり、前記空間Ｖ内で、屋根下地１表面に沿う方向に移動することができる。従って、第１部材４と第２部材５との屋根下地１表面に沿う方向の相対移動を可能としている。
【００６６】
前記隙間Ｓの寸法は、第２部材５の厚み寸法より余裕を持って大きく設定してあり、隙間Ｓ内で、第２部材５が前記軸芯Ｘに沿う方向で移動することが可能となる。即ち、第１部材４と第２部材５とは、前記軸芯に沿う方向での相対移動が可能な状態に構成されている。
【００６７】
また、板バネ部６が、第１部材４と第２部材５とにわたって設けられているので、第１部材４と第２部材５との上述の各相対移動を、初期連結状態への復帰させることが可能となっている。
当該実施形態においては、連結機構Ｊと復帰機構Ｒは、板バネ部６によって構成されている。
【００６８】
尚、ここでは、屋根下地１の表層に断熱パネル１ａが敷設してあるものを説明したが、支持筒部材１６の長さ寸法を短縮化することで、先の実施形態と同様に断熱パネル１ａを設けない屋根下地１に当該シート固定具Ｋ６を固定することが可能となる。
【００６９】
〔別実施形態〕
以下に他の実施の形態を説明する。
【００７０】
〈１〉  防水下地１は、先の実施形態で説明した屋根下地に限るものではなく、例えば、傾斜屋根や、壁等であってもよく、また、それらの構造は、例えば、木造や、鉄筋コンクリートや、鉄骨、折板、デッキプレート等、特に限定されるものではない。
【００７１】
〈２〉  防水シート２は、先の実施形態で説明した塩化ビニル系等の合成樹脂製シート材に限るものではなく、公知の他の材料を使用したものであってもよい。
【００７２】
〈３〉  第２部材５の上面部８には、先の実施形態で説明したホットメルト接着層を設ける構成に限るものではなく、公知の他の接着材を設ける構成であってもよい。
【００７３】
〈４〉  バネ部材６は、先の実施形態で説明した板バネ部で構成することに限らず、他のバネ材（例えば、コイルスプリング等）で構成することも可能である。
また、バネ部材６の幅寸法や、長さ寸法や、厚み寸法や、変形特性等は、適宜設定することができ、更には、使用個数も、先の実施形態で説明した６つに限るものではなく、適宜設定することができる。
また、連結機構Ｊと復帰機構Ｒとを共通の部材で構成することに替えて、個別の部材によって構成するものであってもよい。
【００７４】
尚、上述のように、図面との対照を便利にするために符号を記したが、該記入により本発明は添付図面の構成に限定されるものではない。また、本発明の要旨を逸脱しない範囲において、種々なる態様で実施し得ることは勿論である。
【符号の説明】
【００７５】
１      屋根下地（防水下地の一例）
２      防水シート
４      第１部材
５      第２部材
６      板バネ部（バネ部材の一例）
Ｊ      連結機構
Ｒ      復帰機構
Ｘ      軸芯（防水下地表面の垂線の一例）
【図１】
2015200112.tif 000003
【図２】
2015200112.tif 000004
【図３】
2015200112.tif 000005
【図４】
2015200112.tif 000006
【図５】
2015200112.tif 000007
【図６】
2015200112.tif 000008
【図７】
2015200112.tif 000009
【図８】
2015200112.tif 000010
【図９】
2015200112.tif 000011
【図１０】
2015200112.tif 000012
【図１１】
2015200112.tif 000013
【図１２】
2015200112.tif 000014
【図１３】
2015200112.tif 000015
【図１４】
2015200112.tif 000016
【図１５】
2015200112.tif 000017
【図１６】
2015200112.tif 000018
【図１７】
2015200112.tif 000019
【図１８】
2015200112.tif 000020